(57)【要約】【課題】表面張力が弱い液体からでも液膜を生成できるようにする。【解決手段】液体の流入口１１Ａと流出口１１Ｂとの間に形成された平板状の空間領域１３Ａは、所定の厚みを有し、空間領域１３Ａの平面形状を、空間領域１３Ａに供給された液体によって空間領域１３Ａの輪郭部分における異なる場所から空間領域１３Ａの内側に向かって生じる表面張力が互いに作用し合う関係となるような形状に構成することにより、外部から液膜生成用具１００Ａの空間領域１３Ａに液体が供給されたときに、その空間領域１３Ａの形状に沿って液体が板状に広がり、空間領域１３の内側に向かって生じる表面張力が互いに作用し合って液膜を形成することができるようにする。【選択図】図１
2018194448.tif 000002
【特許請求の範囲】
【請求項１】
所定の厚みを有する平板状の空間領域を備え、
上記空間領域の平面形状は、上記空間領域に供給された上記液体に生じる、上記空間領域の輪郭部分から上記空間領域の内側に向かう表面張力について、上記輪郭部分における異なる場所から生じる表面張力が互いに作用し合う関係となるような形状に構成されていることを特徴とする液膜生成用具。
【請求項２】
上記空間領域の平面形状は、中心線を境界として両側に線対称な形状であり、
上記空間領域の平面形状の輪郭は、上記中心線から両側において、始端からいったん外側に向かって徐々に広がり、その後内側に向かって徐々に狭まって終端するような弧状の形状であることを特徴とする請求項１に記載の液膜生成用具。
【請求項３】
上記空間領域は、複数の閉空間領域が互いに所定の距離未満の間隔で隣接配置されて成り、
上記複数の閉空間領域のそれぞれが、上記閉空間領域に供給された上記液体に生じる、上記閉空間領域の輪郭部分から上記閉空間領域の内側に向かう表面張力について、上記閉空間領域の輪郭部分における異なる場所から生じる表面張力が互いに作用し合う関係となるような形状に構成されていることを特徴とする請求項１に記載の液膜生成用具。
【請求項４】
上記複数の閉空間領域はそれぞれハニカム形状であることを特徴とする請求項３に記載の液膜生成用具。
【請求項５】
上記複数の閉空間領域はそれぞれ、同じ形状かつ同じサイズであることを特徴とする請求項３または４に記載の液膜生成用具。
【請求項６】
上記複数の閉空間領域はそれぞれ、同じ形状かつ異なるサイズであることを許容するサイズであることを特徴とする請求項３に記載の液膜生成用具。
【請求項７】
上記複数の閉空間領域によってフラクタルパターンを形成することを特徴とする請求項６に記載の液膜生成用具。
【請求項８】
２次元フーリエのパワースペクトル上でホワイトノイズに相当するパターンを生成し、当該パターンを逆フーリエ変換することで生成されるパターンによって上記複数の閉空間領域を形成することを特徴とする請求項６に記載の液膜生成用具。
【発明の詳細な説明】
【技術分野】
【０００１】
本発明は、液膜生成用具に関し、特に、電磁波が伝播する経路中に液体試料を配置し、当該液体試料を透過した電磁波の特性を計測するシステムにおいて、液体試料としての液膜を生成するための用具に関するものである。
【背景技術】
【０００２】
従来、テラヘルツ波などの電磁波を用いて物質の特性を計測する分光装置が提供されている。例えば、分光計測の対象となる試料に電磁波を透過させ、試料を通過中に電磁波と試料とが相互作用することによって生じる電磁波の変化から、試料の特性を計測する吸収分光法が知られている。
【０００３】
吸収分光法において、例えば吸収効果が強い液体状の試料について精度の高い計測を行うためには、電磁波が透過する程度に液体試料を薄く形成する必要がある。特に、液体試料をテラヘルツ波で分光計測する場合には、水分子によるテラヘルツ波の吸収効果が強いため、計測信号のＳＮ比の悪化を防ぐために、液体を板状の均一な薄膜にし、板状の部分にテラヘルツ波を透過させて計測を行う必要がある。
【０００４】
一般に、液体試料の計測では、ガラスなどの電磁波を透過する材料で作られた容器（一般的には溶液セルと呼ばれる）に試料を挟みこみ、溶液セルの外部から電磁波を入射し、溶液セルを透過した電磁波を計測している。しかしながら、液体試料を溶液セルに挟み込んで計測すると、液体試料の分光情報に対してセル材料の分光情報がノイズとして重畳し、真の分光情報を計測する妨げとなる。
【０００５】
従来、このような問題に鑑みて、溶液セルを用いることなく、ノイズの少ない分光情報を計測可能にすること目的とした装置が提案されている（例えば、特許文献１，２参照）。この特許文献１，２に記載の装置では、特別な構造のノズルを用い、ポンプの圧力によってノズルから液体試料を噴出することにより、薄い平坦な板状の液膜を生成するようになされている。
【０００６】
すなわち、特許文献２の図４に示されるように、ノズルの先端から噴出した液体により、２本の紐状の流体柱が形成される。２本の紐状の流体柱は、滑らかな弧を描きながら流体柱集合点で衝突し、ノズルの先端から流体柱集合点までの間において、２本の流体柱の間に生じる液体の表面張力により液膜が形成される。
【０００７】
しかしながら、界面活性剤などの表面張力が弱い液体の場合は、液体試料の噴出によって薄い液膜を生成することが困難であるという問題があった。また、テラヘルツ波の計測に必要な時間の間、液体試料の噴出によって薄い液膜を生成し続けるためには、一定量以上の液体試料が必要となる。このため、一定量以上の採取が困難な液体の場合は、これを試料として用いて分光情報を計測することが困難であるという問題があった。
【先行技術文献】
【特許文献】
【０００８】
【特許文献１】特開２０１１−１２７９５０号公報
【特許文献２】特開２０１５−２１９０８８号公報
【発明の概要】
【発明が解決しようとする課題】
【０００９】
本発明は、このような問題を解決するために成されたものであり、本発明は、表面張力が弱い液体からでも液膜を生成できるようにすることを目的とする。また、本発明は、一定量未満の少ない液体からでも、テラヘルツ波の計測に必要な時間の間継続して液膜を生成できるようにすることを目的とする。
【課題を解決するための手段】
【００１０】
上記した課題を解決するために、本発明の液膜生成用具は、所定の厚みを有する平板状の空間領域を備える。ここで、空間領域の平面形状を、空間領域に供給された液体によって空間領域の輪郭部分における異なる場所から空間領域の内側に向かって生じる表面張力が互いに作用し合う関係となるような形状に構成している。
【発明の効果】
【００１１】
上記のように構成した本発明によれば、外部から液膜生成用具の空間領域に液体が供給されると、その空間領域の形状に沿って液体が板状に広がる。空間領域内で板状に広がった液体には、空間領域の輪郭部分における異なる場所から空間領域の内側に向かって表面張力が生じる。本発明によれば、空間領域の輪郭部分における異なる場所から生じた表面張力が互いに作用し合う関係となるような形状に空間領域が形成されているので、液膜生成用具を用いないと表面張力が足りなくて液膜を形成できないような液体であっても、空間領域の形状に沿うように液体が板状に広がって、液膜を形成することができる。これにより、本発明によれば、表面張力が弱い液体からでも液膜を生成することができる。
【図面の簡単な説明】
【００１２】
【図１】第１の実施形態による液膜生成用具の構成例を示す図である。
【図２】各実施形態による液膜生成用具を適用した液膜生成装置の構成例を示す図である。
【図３】空間領域の輪郭形状と関連して、液膜が生成される原理を説明するための図である。
【図４】第２の実施形態による液膜生成用具の構成例を示す図である。
【図５】第３の実施形態による液膜生成用具の構成例を示す図である。
【図６】第３の実施形態による閉空間領域に液膜が生成される原理を説明するための図である。
【発明を実施するための形態】
【００１３】
（第１の実施形態）
以下、本発明の第１の実施形態を図面に基づいて説明する。図１は、第１の実施形態による液膜生成用具１００Ａの構成例を示す図である。図２は、第１の実施形態による液膜生成用具１００Ａを適用した液膜生成装置２００の構成例を示す図である。
【００１４】
まず、図２を参照して、テラヘルツ分光装置で計測対象とする試料液膜を生成するための液膜生成装置２００の構成について説明する。図２に示すように、液膜生成装置２００は、容器２０１、チューブポンプ２０２、往路配管２０３、復路配管２０４および液膜カートリッジ２０５を備えて構成されている。容器２０１には、液体の回収タンク２０１ａが設けられている。
【００１５】
液膜カートリッジ２０５には、液体を噴出して試料液膜を生成するためのノズル２０６と、第１の実施形態による液膜生成用具１００Ａとが備えられている。ノズル２０６は、例えば特許文献２に記載の液膜生成ノズルを用いることが可能であるが、これに限定されるものではない。なお、液膜生成用具１００Ａの構成については、図１を参照して詳細を後述する。
【００１６】
チューブポンプ２０２は、回収タンク２０１ａから復路配管２０４を介して計測対象の液体を吸い上げて、吸い上げた液体を加圧し、往路配管２０３を介して液膜カートリッジ２０５に導出する。液膜カートリッジ２０５は、チューブポンプ２０２により導出された液体をノズル２０６から噴出し、噴出された液体の流れを液膜生成用具１００Ａによって補助することにより、表面が平坦な板状の試料液膜を空間上に生成する。回収タンク２０１ａは、液膜カートリッジ２０５から流れ落ちる液体を回収して貯蔵する。
【００１７】
なお、テラヘルツ波の計測に必要な時間の間、ノズル２０６から噴出し続けることが可能な量の液体を当初から回収タンク２０１ａに貯蔵している場合、液膜カートリッジ２０５から回収タンク２０１ａに回収した液体を再び吸い上げて循環させることは必須ではない。一方、回収タンク２０１ａに貯蔵している液体の量が、テラヘルツ波の計測に必要な時間の間ノズル２０６から液体を噴出し続けることが可能な量に満たない場合は、当該液体を循環させて使用することが必要である。
【００１８】
なお、容器２０１は設けず、液膜カートリッジ２０５自体を容器として用い、液膜カートリッジ２０５の底部を閉じて回収タンクとして利用するようにしてもよい。この場合、復路配管２０４は、液膜カートリッジ２０５の底部に設けた回収タンク内に配置する。この構造は、後者のように比較的少ない量の液体を試料とする場合には特に有効である。
【００１９】
次に、図１を参照して、第１の実施形態による液膜生成用具１００Ａの構成について説明する。第１の実施形態による液膜生成用具１００Ａは、ノズル２０６の出口に設置し、当該ノズル２０６により発生された２本の紐状の流体柱の水流を補助することにより、液膜生成が完結するよう補助する治具である。
【００２０】
図１に示すように、第１の実施形態による液膜生成用具１００Ａは、液体の流入口１１Ａと、液体の流出口１２Ａと、流入口１１Ａと流出口１２Ａとの間に形成された平板状の空間領域１３Ａとを備えている。空間領域１３Ａの始端である流入口１１Ａには、ノズル２０６より噴出された液体が入力される。ノズル２０６より噴出された直後の液体は、２本の紐状の流体柱が形成されている。
【００２１】
この２本の流体柱の水流が空間領域１３Ａの平面形状により補助され、空間領域１３Ａに液膜が形成される。空間領域１３Ａは、液膜生成用具１００Ａの表面から裏面まで貫通する開口部となっており、ここに形成された液膜にテラヘルツ波を透過させることが可能となる。
【００２２】
空間領域１３Ａは、所定の厚みを有している。この厚みは、ノズル２０６より噴出された液体により形成される流体柱の直径とほぼ同じか、それより若干大きい値に設計される。
【００２３】
空間領域１３Ａの平面形状は、流入口１１Ａの中心点と流出口１２Ａの中心点とを結ぶ中心線１０１Ａを境界として両側に線対称な形状である。空間領域１３Ａの平面形状の輪郭は、中心線１０１Ａから両側において、流入口１１Ａからいったん外側に向かって徐々に広がり、その後内側に向かって徐々に狭まって流出口１２Ａにて終端するような弧状の形状である。この空間領域１３Ａの輪郭形状は、ノズル２０６により発生された２本の紐状の流体柱の水流を補助して液膜生成を促す形状である。
【００２４】
図３は、空間領域１３Ａの輪郭形状と関連して、液膜が生成される原理を説明するための図である。図３（ａ）のように、ノズル２０６により形成される２本の流体柱３０１，３０２は、当該流体柱３０１，３０２の間に形成される液膜の表面張力により、矢印で示す内向きの方向に互いに引っ張られている。この表面張力は、ノズル２０６から液体が噴出された直後（ノズル２０６の近傍）で最も大きく、ノズル２０６から離れるに従って小さくなる。
【００２５】
表面張力が十分に大きい場合、両側の流体柱３０１，３０２からそれぞれ内向きに生じる表面張力は、ノズル２０６から離れた場所においても、互いに作用し合う関係となる。そのため、２本の紐状の流体柱３０１，３０２は、滑らかな弧を描きながら流体柱集合点３０３で衝突し、ノズル２０６から流体柱集合点３０３までの間に液体の表面張力により液膜３０４が形成される。
【００２６】
一方、図３（ｂ）に示すように、ノズル２０６から噴出される液体が、界面活性剤のように表面張力が弱い液体の場合、両側の流体柱３０１，３０２からそれぞれ内向きに生じる表面張力は、ノズル２０６の近傍では互いに作用し合う関係となっている。しかし、ノズル２０６から離れた場所では、両側の表面張力が互いに作用し合う関係にならない。そのため、２本の流体柱３０１，３０２が合流する流体柱集合点は形成されない。この場合、下流側にて液膜が破綻し、液粒となってしまう。
【００２７】
空間領域１３Ａの平面形状は、図３（ａ）のように液膜を形成可能な形状に構成されている。すなわち、空間領域１３Ａの平面形状は、空間領域１３Ａに供給された液体に生じる、空間領域１３Ａの輪郭部分から空間領域１３Ａの内側に向かう表面張力について、輪郭部分における異なる場所（中心線１０１Ａを境界として両側に位置する線対称な場所）から生じる表面張力が互いに作用し合う関係となるような形状に構成されている。
【００２８】
すなわち、ノズル２０６から噴出された液体は、２本の紐状の流体柱が形成された状態で流入口１１Ａより入力される。その２本の流体柱は、空間領域１３Ａの輪郭形状に沿って流れる。この場合、輪郭形状に沿って流れる２本の流体柱から内向きの表面張力が生じる。ノズル２０６から離れるに従って表面張力は小さくなるが、流体柱の流れが空間領域１３Ａの輪郭形状により強制的に規制され、流出口１２Ａにて合流する。すなわち、流入口１１Ａから離れた位置において表面張力が小さくなっていても、その小さい表面張力が互いに作用し合う関係となり、流出口１２Ａにて２本の流体柱が合流する。これにより、流入口１１Ａから流出口１２Ａまでの間に液体の表面張力により液膜が形成される。
【００２９】
流出口１２Ａの先には、出口流路１４Ａが形成されている。流出口１２Ａにて２本の流体柱が合流した後、液滴化された液体が出口流路１４Ａを流れていき、液膜カートリッジ２０５から流れ落ちて回収タンク２０１ａに回収されるようになっている。
【００３０】
以上詳しく説明したように、第１の実施形態の液膜生成用具１００Ａによれば、外部のノズル２０６から空間領域１３Ａに液体が供給されると、その空間領域１３Ａの輪郭形状に沿って２本の流体柱が形成され、その流体柱の間に液体が板状に広がる。空間領域１３Ａ内で板状に広がった液体には、空間領域１３Ａの両側の輪郭部分に沿って流れる流体柱から空間領域１３の内側に向かって表面張力が生じる。第１の実施形態によれば、空間領域１３Ａの両側の輪郭部分から生じた液体の表面張力が互いに作用し合う関係となるような形状に空間領域１３Ａが形成されているので、液膜生成用具１００Ａを用いないと表面張力が足りなくて液膜を形成できないような液体であっても、空間領域１３Ａの形状に沿うように液体が板状に広がって、液膜を形成することができる。これにより、第１の実施形態によれば、表面張力が弱い液体からでも液膜を生成することができる。
【００３１】
（第２の実施形態）
次に、本発明の第２の実施形態を図面に基づいて説明する。図４は、第２の実施形態による液膜生成用具１００Ｂの構成例を示す図である。第２の実施形態による液膜生成用具１００Ｂは、液膜生成用のノズル２０６は使わずに、例えば往路配管２０３から直接液体を液膜生成用具１００Ｂに流し込み、空間領域１３Ｂの輪郭に沿わせて液体を流すことにより、液膜生成を促す治具である。第２の実施形態による液膜生成用具１００Ｂも、図２に示した液膜生成装置２００に適用することが可能である。
【００３２】
図４に示すように、第２の実施形態による液膜生成用具１００Ｂは、その上端部分から一定長さの入口流路１５Ｂが形成され、当該入口流路１５Ｂの先に空間領域１３Ｂが形成されている。入口流路１５Ｂと空間領域１３Ｂとの境界部分が流入口１１Ｂであり、ここから先において２本の流体柱が発生されるようになっている。
【００３３】
この２本の流体柱の水流が空間領域１３Ｂの平面形状により補助され、空間領域１３Ｂに液膜が形成される。空間領域１３Ｂは、液膜生成用具１００Ｂの表面から裏面まで貫通する開口部となっており、ここに形成された液膜にテラヘルツ波を透過させることが可能となる。
【００３４】
第２の実施形態による空間領域１３Ｂも、所定の厚みを有している。この厚みは、空間領域１３Ｂ内で発生する流体柱の直径とほぼ同じか、それより若干大きい値に設計される。
【００３５】
空間領域１３Ｂの平面形状は、流入口１１Ｂの中心点と流出口１２Ｂの中心点とを結ぶ中心線１０１Ｂを境界として両側に線対称な形状である。空間領域１３Ｂの平面形状の輪郭も、第１の実施形態による空間領域１３Ａと同様、中心線１０１Ｂから両側において、流入口１１Ｂからいったん外側に向かって徐々に広がり、その後内側に向かって徐々に狭まって流出口１２Ｂにて終端するような弧状の形状である。この空間領域１３Ｂの輪郭形状は、２本の紐状の流体柱の水流を補助して液膜生成を促す形状である。
【００３６】
すなわち、空間領域１３Ｂにおいて発生した２本の紐状の流体は、空間領域１３Ｂの輪郭形状に沿って流れる。この場合、輪郭形状に沿って流れる２本の流体柱から内向きの表面張力が生じる。流入口１１Ｂから離れるに従って表面張力は小さくなるが、流体柱の流れが空間領域１３Ｂの輪郭形状により強制的に規制され、流出口１２Ｂにて合流する。すなわち、流入口１１Ｂから離れた位置において表面張力が小さくなっていても、その小さい表面張力が互いに作用し合う関係となり、流出口１２Ｂにて２本の流体柱が合流する。これにより、流入口１１Ｂから流出口１２Ｂまでの間に液体の表面張力により液膜が形成される。
【００３７】
流出口１２Ｂの先には、出口流路１４Ｂが形成されている。流出口１２Ｂにて２本の流体柱が合流した後、液滴化された液体が出口流路１４Ｂを流れていき、液膜カートリッジ２０５から流れ落ちて回収タンク２０１ａに回収されるようになっている。
【００３８】
以上詳しく説明したように、第２の実施形態の液膜生成用具１００Ｂにおいても、空間領域１３Ｂの両側の輪郭部分から生じた液体の表面張力が互いに作用し合う関係となるような形状に空間領域１３Ｂが形成されているので、液膜生成用具１００Ｂを用いないと表面張力が足りなくて液膜を形成できないような液体であっても、空間領域１３Ｂの形状に沿うように液体が板状に広がって、液膜を形成することができる。これにより、第２の実施形態によれば、表面張力が弱い液体からでも液膜を生成することができる。
【００３９】
なお、上記第２の実施形態では、液膜生成用具１００Ｂが流入口１１Ｂ、流出口１２Ｂ、入口流路１５Ｂおよび出口流路１４Ｂを備える構成について説明したが、第２の実施形態においてこれらは必須の構成ではない。また、図１に示した構成の液膜生成装置２００に適用することも必須ではない。例えば、ホースのような配管から空間領域１３Ｂに液体試料を直接供給するようにしてもよい。
【００４０】
（第３の実施形態）
次に、本発明の第３の実施形態を図面に基づいて説明する。図５は、第３の実施形態による液膜生成用具１００Ｃの構成例を示す図である。第３の実施形態による液膜生成用具１００Ｃは、液膜生成用のノズル２０６は使わずに、互いに隣接配置された複数の閉空間領域に液体を供給することにより、液膜生成を促す治具である。第３の実施形態による液膜生成用具１００Ｃも、図２に示した液膜生成装置２００に適用することが可能である。
【００４１】
図５に示すように、第３の実施形態による液膜生成用具１００Ｃは、その上端部から一定長さの入口流路１５Ｃが形成され、当該入口流路１５Ｃの先に空間領域１３Ｃが形成されている。入口流路１５Ｃと空間領域１３Ｃとの境界部分が流入口１１Ｃである。
【００４２】
第３の実施形態における空間領域１３Ｃは、複数の閉空間領域１７Ｃを有している。個々の閉空間領域１７Ｃは、液膜生成用具１００Ｃの表面から裏面まで貫通する開口部となっており、ここに形成された液膜にテラヘルツ波を透過させることが可能となる。
【００４３】
第３の実施形態による空間領域１３Ｃも、所定の厚みを有している。この厚みは、液膜生成用具１００Ｃの構造を維持できて、かつ、生成したい液膜の厚みに近くなるように、できるだけ小さい値に設計される。
【００４４】
第３の実施形態における空間領域１３Ｃは、複数の閉空間領域１７Ｃが互いに所定の距離未満の間隔で隣接配置されて構成されている。閉空間領域１７Ｃの間隔は、液膜生成用具１００Ｃの構造を維持できる範囲で、できるだけ小さい値に設計するのが好ましい。閉空間領域１７Ｃどうしの間は開口されておらず、テラヘルツ波を透過できない部分なので、この部分の領域ができるだけ狭くなるようにするためである。
【００４５】
複数の閉空間領域１７Ｃのそれぞれは、当該閉空間領域１７Ｃに供給された液体に生じる、閉空間領域１７Ｃの輪郭部分から閉空間領域１７Ｃの内側に向かう表面張力について、閉空間領域１７Ｃの輪郭部分における異なる場所から生じる表面張力が互いに作用し合う関係となるような形状に構成されている。例えば、複数の閉空間領域１７Ｃはそれぞれ、ハニカム形状で構成されている。これらのハニカム形状は何れも、同じ形状かつ同じサイズである。
【００４６】
ハニカム形状の場合、図６に示すように、閉空間領域１７Ｃの輪郭部分の互いに対向する辺から生じる表面張力が互いに作用し合う関係となるようなサイズに構成する。閉空間領域１７Ｃのサイズが大きすぎると、輪郭部分の互いに対向する辺から生じる表面張力が互いに作用し合う関係とならない。一方、閉空間領域１７Ｃのサイズが小さすぎると、テラヘルツ波を透過させることができなくなる。よって、テラヘルツ波を透過させることができる範囲で、表面張力が互いに作用し合う関係となるサイズに閉空間領域１７Ｃを形成する必要がある。
【００４７】
テラヘルツ波の波長を０．３ｍｍとした場合、その物理的要因により、焦点を０．３ｍｍ以下に絞り込むことはできない。よって、生成する液膜は０．３ｍｍ幅よりも大きくする必要がある。なお、テラヘルツ波の波長帯を０．０３〜３．０ｍｍと考えた場合、生成する液膜は、最大波長の３．０ｍｍよりも大きくする必要がある。また、液膜生成用具１００Ｃの設置時の位置ずれや、光の回折現象が生じることも考慮する必要がある。そこで、これらのことを考慮して、閉空間領域１７Ｃを構成するハニカム形状の対辺寸法を３．０ｍｍよりも大きな値（例えば、１０ｍｍ程度）にするとよい。
【００４８】
閉空間領域１７Ｃをハニカム形状で構成した場合、各閉空間領域１７Ｃを、それぞれの辺が互いに対向するような位置に隣接配置する。そして、その配置間隔を、上述したように所定の距離未満とする。このようにすれば、複数の閉空間領域１７Ｃの総合体として、テラヘルツ波を透過させる部分の領域の総面積を大きく確保しつつ、各閉空間領域１７Ｃ間におけるテラヘルツ波を透過しない部分の領域をできるだけ狭くすることができる。
【００４９】
以上詳しく説明したように、第３の実施形態の液膜生成用具１００Ｃにおいても、空間領域１３Ｃを構成している各閉空間領域１７Ｃの輪郭部分から生じた液体の表面張力が互いに作用し合う関係となるような形状に空間領域１３Ｃが形成されているので、液膜生成用具１００Ｃを用いないと表面張力が足りなくて液膜を形成できないような液体であっても、閉空間領域１７Ｃの形状に沿うように液体が板状に広がって、液膜を形成することができる。これにより、第３の実施形態によれば、表面張力が弱い液体からでも液膜を生成することができる。
【００５０】
なお、上記第３の実施形態では、閉空間領域１７Ｃの形状としてハニカム形状を示したが、本発明はこれに限定されない。例えば、三角形、四角形、五角形、八角形、円形などとしてもよい。
【００５１】
また、上記第３の実施形態では、液膜生成用具１００Ｃが流入口１１Ｃ、流出口１２Ｃ、入口流路１５Ｃおよび出口流路１４Ｃを備える構成について説明したが、第３の実施形態においてこれらは必須の構成ではない。また、図１に示した構成の液膜生成装置２００に適用することも必須ではない。例えば、微少量の液体試料をスポイトまたはマイクロピペット等の器具で吸い取り、当該器具から空間領域１３Ｃに液体試料を垂らすことにより、複数の閉空間領域１７Ｃに液膜を生成するようにしてもよい。このように、第３の実施形態によれば、一定量未満の少ない液体からでも液膜を生成することができる。特に、液膜生成装置２００によって液体を循環させることが難しいほど少ない量しかない場合であっても、液膜を生成することが可能である。
【００５２】
また、上記第３の実施形態では、複数の閉空間領域１７Ｃをそれぞれ同じ形状かつ同じサイズで構成する例について説明したが、本発明はこれに限定されない。例えば、複数の閉空間領域をそれぞれ、同じ形状かつ異なることを許容するサイズで構成してもよい。例えば、複数の閉空間領域によってフラクタルパターンを形成するようにしてもよい。または、２次元フーリエのパワースペクトル上でホワイトノイズに相当するパターンを生成し、当該パターンを逆フーリエ変換することで生成されるパターンによって複数の閉空間領域を形成するようにしてもよい。
【００５３】
また、上記第１〜第３の実施形態において、使用する液体試料に応じて、液膜生成用具１００Ａ〜１００Ｃの表面を特定の材料でコーティングするなどの加工を施すようにしてもよい。
【００５４】
その他、上記第１〜第３の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００５５】
１１Ａ〜１１Ｃ  流入口
１２Ａ〜１２Ｃ  流出口
１３Ａ〜１３Ｃ  空間領域
１４Ａ〜１４Ｃ  出口流路
１５Ｂ，１５Ｃ  入口流路
１６Ｂ  流体柱発生構造
１７Ｃ  閉空間領域
１００Ａ〜１００Ｃ  液膜生成用具
【図１】
2018194448.tif 000003
【図２】
2018194448.tif 000004
【図３】
2018194448.tif 000005
【図４】
2018194448.tif 000006
【図５】
2018194448.tif 000007
【図６】
2018194448.tif 000008